(57)【要約】      （修正有）【課題】使用者が赤ちゃんを抱っこする時に使用する抱っこ紐の肩連結部の幅に関係なく、肩連結部に固定され、赤ちゃんのよだれを受け止められるようにした抱っこ紐用よだれパッドを提供する。【解決手段】赤ちゃん２０を抱っこする時、赤ちゃんのお尻と背中部分をカバーする赤ちゃんカバー部２００と、赤ちゃんカバー部から連結され、使用者の両側の肩部位各々に連結される肩連結部３００を持つ抱っこ紐で、肩連結部各々に装着され、赤ちゃんのよだれによって肩連結部各々が汚れることを防止する抱っこ紐用よだれパッド５００であって、肩カバー部、磁石締結部、水分遮断部及び磁石固定部を含む。肩連結部各々は使用者１０の肩から上腕部までを含んだ幅を持ち、磁石締結部は肩カバー部が肩連結部各々の内側の角を覆った状態でそのまま重なり、肩連結部各々を間に置き、磁力結合されるよう構成される。【選択図】図１
0003232671.tif 000002
【実用新案登録請求の範囲】
【請求項１】
使用者が赤ちゃんを抱っこする時、前記赤ちゃんのお尻と背中部分をカバーする赤ちゃんカバー部と前記赤ちゃんカバー部から連結され、前記使用者の両側肩部位各々に連結される肩連結部を持つ抱っこ紐で、前記肩連結部各々に装着され、前記赤ちゃんのよだれによって前記肩連結部各々が汚れることを防止する抱っこ紐用よだれパッドにおいて、前記肩連結部各々を覆うようにカバーし、前記赤ちゃんのよだれに直接露出され、二重の互いに重なった第１及び第２生地層を持つ肩カバー部；前記肩カバー部の両端部各々から前記第１及び第２生地層の間に少なくとも一つが配置され、前記肩連結部を一部または全体を覆った時、互いに磁力結合し、前記肩カバー部を前記肩連結部各々に固定する磁石締結部；前記磁石締結部各々が前記赤ちゃんのよだれを含む水分により露出されることを防止するために前記第１及び第２生地層の間で前記磁石締結部各々を全体的にカバーしながら防水性材質から成る水分遮断部；及び前記磁石締結部各々の位置を固定するために前記水分遮断部各々を前記肩カバー部に位置固定する磁石固定部を含むことを特徴とする抱っこ紐用よだれパッド。
【請求項２】
前記肩連結部各々は前記使用者の肩から上腕部までを含んだ幅を持ち、前記磁石締結部は前記肩カバー部が前記肩連結部各々の内側の角を覆った状態でそのまま重なり、前記肩連結部各々を間に置き、磁力結合されるよう構成されることを特徴とする請求項１記載の抱っこ紐用よだれパッド。
【請求項３】
前記磁石固定部各々は縫製方式によって固定され、前記水分遮断部各々は前記磁石固定部各々が形成された部位にこれらが露出されるよう縫製の穴を持つことを特徴とする請求項１記載の抱っこ紐用よだれパッド。
【請求項４】
前記磁石固定部各々は前記水分遮断部各々の少なくとも対向する両側に２つが構成されることを特徴とする請求項１記載の抱っこ紐用よだれパッド
【請求項５】
前記水分遮断部各々はシリコン（ｓｉｌｉｃｏｎ）材質を含むことを特徴とする請求項１記載の抱っこ紐用よだれパッド。
【考案の詳細な説明】
【技術分野】
【０００１】  本考案は抱っこ紐用よだれパッドに関するもので、詳細には抱っこ紐の肩紐の構造に関係なく、前記肩布に装着し、前記抱っこ紐を通して抱っこしている赤ちゃんのよだれを受け止めるよだれパッドに関するものである。
【背景技術】
【０００２】  赤ちゃんは実質的に歩行が不可能であり、移動する際には使用者が安全に抱っこして移動するが、ただ抱っこした状態で移動する際の長時間の移動は実際には難しく、一般的に使用者は抱っこした赤ちゃんを安全に支えてくれる抱っこ紐を使用することになる。このような抱っこ紐は安全はもちろん、便利さまで提供することで通常、使用者が赤ちゃんを前に抱っこした状態で赤ちゃんの背中とお尻を使用者の肩と腰各々に肩紐及び腰ベルトを付け、支えてくれる構造を持っている。これについては大韓民国公開特許第１０−２００９−０１３１１０１号（発明の名称；抱っこ紐）に一部類似する技術が掲示されている。【０００３】  また、前記抱っこ紐を使用し、抱っこした赤ちゃんは時期的に歯が生えようとする時期に近く、赤ちゃんが前記抱っこ紐の肩布を頻繁に舐めるようになり、前記肩布のように使用者の洋服が赤ちゃんのよだれにより濡れてしまう場合が頻繁に発生する。これにベルクロ（ｖｅｌｃｒｏ）またはスナップボタン（Ｓｎａｐ  ｂｕｔｔｏｎ）構造で前記抱っこ紐の肩布に固定して、赤ちゃんのよだれを直接的に受け止める前記抱っこ紐専用のよだれパッドが広く使用されている。【０００４】  これについては日本公開特許  第２００６−２１４０７０号（発明の名称：器型よだれかけ）、日本公開特許第２０１１−３６１０４５号（発明の名称：お座り用ベルト付きよだれかけ）に一部類似した技術が掲示されている。このようなよだれかけは前記赤ちゃんの首に着用し、胸部位に限定して食べ物の汚れを防止してくれることにより、実際前記赤ちゃん専用テーブルを使用すると、前記赤ちゃんの予測できない動きにより前記赤ちゃんの体全体及び前記赤ちゃんの専用テーブルに流れ落ちる食べ物を防ぐことができない。これにより、結局前記赤ちゃんの保護者は前記赤ちゃんが食事をするたびに前記赤ちゃんの洋服の洗濯や前記赤ちゃんの専用テーブルの掃除を毎回行わなければならない困った問題点がある。
【先行技術文献】
【特許文献】
【０００５】
【特許文献１】日本公開特許  第２００６−２１４０７０号（発明の名称：器型よだれかけ）
【特許文献２】日本公開特許第２０１１−３６１０４５号（発明の名称：お座り用ベルト付きよだれかけ）
【考案の概要】
【考案が解決しようとする課題】
【０００６】  本考案の目的は赤ちゃんを抱っこする時に使用する抱っこ紐の肩連結部の幅に関係なく、前記肩紐に固定され、前記赤ちゃんのよだれを受け止められる抱っこ紐用よだれパッドを提供するものである。
【課題を解決するための手段】
【０００７】  本考案の目的を達成するために、使用者が赤ちゃんを抱っこした時、前記赤ちゃんのお尻と背中部分をカバーする赤ちゃんカバー部と前記赤ちゃんカバー部から連結され、前記使用者の両肩部位各々に連結される肩連結部を持つ抱っこ紐で、前記肩連結部各々に装着され、前記赤ちゃんのよだれによって前記肩連結部各々が汚れることを防止する抱っこ紐用よだれパッドは肩カバー部、磁石締結部、水分遮断部及び磁石固定部を含む。【０００８】  前記肩カバー部連結部各々を包み込むようにカバーし、前記赤ちゃんのよだれに直接的に露出させ、二重の互いに重なった第１及び第２生地層を持つ。
前記磁石締結部は前記肩カバー部の両端部各々から前記第１及び第２生地層の間に少なくとも一つが配置され、前記肩連結部を一部または全体を覆った時、互いに磁力で結合し、前記肩カバー部を前記肩連結部各々に固定する。【０００９】  前記水分遮断部は前記磁石締結部各々が前記赤ちゃんのよだれを含む水分により露出されることを防止するために、前記第１及び第２生地層の間で前記磁石締結部各々を全体的にカバーする防水性材質から成る。【００１０】  前記磁石固定部は前記磁石締結部各々の位置を固定するために前記水分遮断部各々を前記肩カバー部に位置を固定する。実施例による前記肩連結部各々は前記使用者の肩から上腕部分まで含んだ幅を持つことができる。これに前記磁石締結部は前記肩カバー部が前記肩連結部各々の内側の角を覆った状態でそのまま重なり、前記肩連結部各々を間に置き、磁力で結合されるよう構成することができる。【００１１】  実施例による前記磁石固定部各々は縫製方式によって固定することができる。これに、前記水分遮断部各々は前記磁石固定部各々が形成された部位に縫製の穴を持つことができる。実施例による前記磁石固定部各々は前記水分遮断部各々の少なくとも対向する両側に２つが構成されることができる。実施例による前記水分遮断部各々はシリコン（ｓｉｌｉｃｏｎ）材質を含むことができる。
【考案の効果】
【００１２】  前記した本考案の実施例によると、赤ちゃんのよだれに直接的に露出され、二重の互いに重なった第１及び第２生地層から成る肩カバー部の両端部各々から前記第１及び第２生地層の間で互いに磁力結合する磁石締結部を配置させることで、抱っこ紐の肩連結紐の幅が狭い場合にも前記肩連結紐を覆って前記磁石締結部を直接的に固定することもでき、前記肩連結紐の幅が広い場合には前記肩連結紐の内側の角を覆いながら、前記肩連結紐を間に置いて前記磁石締結部を間接的に固定することもできる。
【図面の簡単な説明】
【００１３】
【図１】図１は本考案の実施例によるよだれパッドが装着された抱っこ紐を概略的に表した図面である。
【図２】図２は図１に図示されたよだれパッドの磁石締結部が締結された構造を表した図面である。
【図３】図３は図２に図示されたよだれパッドを開いた構造を表した図面である。
【図４】図４は図３に図示された磁石締結部部位を具体的に表した図面である。
【図５】図５は図３に図示されたよだれパッドの磁石締結部部位を切断した断面を表した図面である。
【図６】図６は図３に図示されたよだれパッドが抱っこ紐の肩連結部に異なる実施例により、固定された構造を表した図面である。
【考案を実施するための形態】
【００１４】  以下、添付した図面を参照し、本考案の実施例による抱っこ紐用よだれパッドに対し、詳細に説明する。本発考案に多様な変更を加えることができ、様々な形態を持つことができること、特定の実施例を図面に例示して、本文に詳細に説明しようとする。しかし、これは本考案を特定した掲示形態に対して限定しようとするのではなく、本考案の思想及び技術範囲に含むすべての背景、均等物もしくは代替物を含むものとして理解されなければならない。各図面を説明しながら類似した参照符号を類似した構成要素に対して使用した。構造物の値は本発明の明確性を期すために実際より拡大して図示したものである。
【００１５】第１、第２などの用語は多様な構成要素を説明するのに使用されることができるが、前記構成要素は前記用語により限定されてはならない。前記用語は一つの構成要素を異なる構成要素から区別する目的でのみ使用される。例えば、本考案の権利範囲を超えずに第１構成要素は第２構成要素として名づけることができる。同じように第２構成要素も第１構成要素として名づけることができる。
本出願で使用した用語はただ特定の実施例を説明するために使用されたもので、本発明を限定しようとする意図ではない。単数の表現は文脈上、明確に異なって意味しない限り複数の表現を含む。本出願で「含む」または「持つ」などの用語は明細書上に記載された特定、数字、段階、動作、構成要素、部分品またはこれらを組み合わせたものが存在することを指定するものであり、一つまたはそれ以上の異なる特徴や数字、段階、動作、構成要素、部分品またはこれらを組み合わせたものを存在または付加可能性を予め排除しないものとして理解されなければならない。
【００１６】  一方、異なって定義されていない限り、技術的や科学的な用語を含めてここで使用されるすべての用語は本考案が属する技術分野で通常の知識を持つ者によって一般的に理解されることと同一の意味を持っている。一般的に使用される辞典に定義されているもののように用語は関連技術の文脈上持っている意味と一致する意味を持つものとして解釈されなければならず、本出願で明確に定義されない限り、理想的や過度に形式的な意味として解釈されない。
【００１７】  図１は本考案の実施例によるよだれパッドが装着された抱っこ紐を概略的に表した図面で、図２は図１に図示されたよだれパッドの磁石締結部の締結された構造を表した図面で、図３は図２に図示されたよだれパッドを開いた構造を表した図面で、図４は図３に図示された磁石締結部部位を具体的に表した図面で、図５は図３に図示されたよだれパッドの磁石締結部を切断した断面を表した図面で、図６は図３に図示されたよだれパッドが抱っこ紐の肩連結部に異なる実施例によって固定された構造を表した図面である。
【００１８】図１もしくは図６を参照すると、本考案による抱っこ紐（１００）は赤ちゃんカバー部（２００）及び肩連結部（３００）を含む。前記赤ちゃんカバー部（２００）は使用者（１０）が赤ちゃん（２０）を抱っこする時、前記赤ちゃん（２０）のお尻と背中部分をカバーする。この時、前記赤ちゃんカバー部（２００）は図１でのように広い織物材質の布をクロス形態に交差させ、前記赤ちゃん（２０）をカバーすることができる。これとは別に、前記赤ちゃんカバー部（２００）は図６でのように単独で前記赤ちゃん（２０）のお尻と背中部分のみをカバーするよう構成されることができる。
【００１９】  前記肩連結部（３００）各々は前記赤ちゃんカバー部（２００）から連結され、前記使用者（１０）の両肩部位各々に連結される。前記肩連結部（３００）各々は前記赤ちゃんカバー部（２００）が前者のようにクロス形態で交差した構造である場合には前記交差した構造に延長し、前記使用者（１０）の肩各々に連結されることができ、後者のように単独の構造である場合にはこれから紐形態で前記使用者（１０）の肩各々に連結されることもできる。これに、本考案の実施例によるよだれパッド（５００）は前記肩連結部（３００）各々に装着され、前記赤ちゃん（２０）のよだれによって前記肩連結部（３００）各々または前記使用者（１０）の洋服が汚れることを防止する。このようなよだれパッド（５００）は肩カバー部（６００）、磁石締結部（７００）、水分遮断部（８００）及び磁石固定部（９００）を含む。
【００２０】前記肩カバー部（６００）は前記肩連結部（３００）各々を覆うようにカバーし、前記赤ちゃん（２０）のよだれに直接露出される。前記肩カバー部（６００）は二重の互いに重なった第１及び第２生地層（６１０、６２０）を持つことができる。これは前記肩カバー部（６００）に前記赤ちゃん（２０）のよだれが前記第１及び第２生地層の間（６１０、６２０）のうち、どちらか一つによだれが付く場合、これをもう一つを通して前記肩連結部（３００）に直接伝達されないようにすることにより、前記赤ちゃん（２０）のよだれによって前記肩連結部（３００）が汚れることを最大限抑制するためである。また、前記肩カバー部（６００）は二重の第１及び第２生地層（６１０、６２０）で構成されることにより、これらのうち一つが前記赤ちゃん（２０）のよだれによりたくさん濡れて汚れる場合、もう一つを裏返して交代し使用されることにより、その活用性を向上させることもできる。
【００２１】前記磁石締結部（７００）は前記カバー部（６００）の両端部各々から前記第１及び第２生地層（６１０、６２０）の間に少なくとも一つが配置される。前記磁石締結部（７００）は前記肩連結部（３００）を一部または全体を覆った時、互いに磁力結合し、前記肩カバー部（６００）を前記肩連結部（３００）に固定する。この時、前記磁石締結部（７００）は前記肩カバー部（６００）を前記肩連結部（３００）に安定して固定するために前記肩カバー部（６００）の両端部各々に２つが互いに対象になるように配置されるのが望ましい。このような磁石締結部（７００）各々は所定の厚さを持つ円盤形状を持つことができる。
【００２２】また、前記赤ちゃんカバー部（２００）が図１を参照した前者の場合と同様にクロス形態に交差した構造によって、前記肩連結部（３００）各々が前記使用者（１０）の肩から上腕部分まで含んだ広い幅を持つ場合、前記磁石締結部（７００）は前記肩カバー部（６００）が前記肩連結部（３００）の内側の角を覆った状態でそのまま重なって前記肩連結部（３００）を間に置いて間接的に磁力結合されるよう構成することができる。
【００２３】これとは異なり、前記赤ちゃんカバー部（２００）が図６を参照した後者のように単独の構造によって前記肩連結部（３００）各々が紐形態で狭い幅で前記使用者（１０）の肩に連結される場合、前記磁石締結部（７００）は前記肩カバー部（６００）が前記連結部（３００）を全体的に覆った状態でその一方が反対側に裏返った状態で直接的に磁力結合されるよう構成することができる。
【００２４】前記水分遮断部（８００）各々は前記第１及び第２生地層（６１０、６２０）の間で前記磁石締結部（７００）各々を全体的にカバーしながら防水性材質で成っている。これに前記水分遮断部（８００）は前記磁石締結部（７００）が前記赤ちゃん（２０）のよだれを含む水分によって露出されることを防止するために、前記水分によって前記磁石締結部（７００）が腐食することを防止することができる。このような水分遮断部（８００）は防水性に優れていながら、コーティング方式によって前記磁石締結部（７００）を全体的にカバーするのに簡単なシリコン（ｓｉｌｉｃｏｎ）材質を含むことができる。
【００２５】前記磁石固定部（９００）は前記磁石締結部（７００）各々の位置を固定するために前記水分遮断部（８００）各々を肩カバー部（６００）に位置し、固定する。これに、前記磁石固定部（９００）各々は縫製方式によって固定されることができる。この場合、前記水分遮断部（８００）各々は前記磁石固定部（９００）各々が形成された部位にこれらが露出されるよう縫製穴（８１０）を持つことができる。
【００２６】前記縫製穴（８１０）から前記磁石固定部（９００）が前記水分遮断部（８００）とは別に縫製されながら前記水分遮断部（８００）の位置を固定することにより、前記縫製方式によって形成されるしかない縫い穴を通して前記赤ちゃん（２０）のよだれを含む水分が前記磁石締結部（７００）に浸透し、これを腐食させる場合も根本的に防止することができる。このような磁石固定部（９００）は前記磁石締結部（７００）をカバーした前記水分遮断部（８００）が前記肩カバー部（６００）に安定的に固定されるようにするために、前記水分遮断部（８００）の少なくとも対向する両側に２つが構成されることが望ましい。
【００２７】このように、前記赤ちゃん（２０）のよだれに直接露出され、二重の互いに重なった前記第１及び第２生地層（６１０、６２０）から成っている前記肩カバー部（６００）の両端部各々から前記第１及び第２生地層（６１０、６２０）の間に互いに磁力結合する前記磁石締結部（７００）を配置させることで、前記抱っこ紐（１００）の肩連結紐の幅が狭い場合には前記肩連結紐を覆って前記磁石締結部（７００）を直接固定することもでき、前記肩連結紐の幅が広い場合には前記肩連結紐の内側の角を覆いながら前記肩連結紐を間に置き、前記磁石締結部（７００）を間接的に固定することもできる。すなわち、本考案によるよだれパッド（５００）は前記抱っこ紐（１００）の肩連結部（３００）の幅が広かろうと狭かろうと関係なく装着し、使用することができる。
【００２８】前記では本考案の望ましい実施例を参照し説明したが、該当技術分野の熟練した当業者の実用新案請求の範囲に記載された本考案の思想及び領域から外れない範囲内で本考案を多様に修正及び変更することができることを理解することができる。
【符号の説明】
【００２９】１０：使用者          ２０：赤ちゃん
１００：抱っこ紐      ２００：赤ちゃんカバー部
３００：肩連結部      ５００：よだれパッド
６００：肩カバー部    ６１０：第１生地層
６２０：第２生地層    ７００：磁石締結部
８００：水分遮断部    ８１０：縫製穴
９００：磁石固定部
【図１】
0003232671.tif 000003
【図２】
0003232671.tif 000004
【図３】
0003232671.tif 000005
【図４】
0003232671.tif 000006
【図５】
0003232671.tif 000007
【図６】
0003232671.tif 000008